(57)【特許請求の範囲】
【請求項１】
カードの収納部を有するハウジングと、このハウジングのカードの挿入方向の排出位置と挿着位置に移動可能に配設され、挿入されるカードの接触端子部に接触する接触片が並設されたヘッダー部と、このヘッダー部をカードの排出位置に付勢する付勢部材とを備え、前記挿着位置は、長さの異なる複数種類のカードが収納部に挿着された時に、それぞれのカードの後端位置が同一となるように前記ハウジング内の複数箇所に設定されると共に、前記ハウジング内には、前記ヘッダー部を前記付勢部材の付勢力に抗して複数の前記挿着位置にそれぞれロックするロック手段と、このロック手段によるロックを解除する解除操作手段とを形成したことを特徴とするカード用コネクタ装置。
【請求項２】
前記解除操作手段は、前記ハウジングに配設され押圧操作可能な操作部材と、この操作部材を復帰方向へ付勢する復帰ばねと、前記ハウジング又は前記操作部材のうち一方に設けられ、押圧方向に対して傾斜するカム溝と、他方に設けられ、このカム溝に係合するカムピンとを備え、前記ロック手段は、前記操作部材の上面に形成された複数の係止段部と、前記ヘッダー部に設けられて複数の前記係止段部に係合する係止片とからなり、前記操作部材の押圧操作に伴って前記カムピンが前記カム溝の傾斜面を摺動して、前記係止片が前記係止段部から離脱する方向に前記操作部材が移動するようにしたことを特徴とする請求項１記載のカード用コネクタ装置。
【請求項３】
前記排出位置と複数の前記挿着位置との間には、前記カードの長さに対応した使用位置が設定されると共に、前記ハウジング内には、前記ヘッダー部を前記使用位置に保持する保持手段を形成したことを特徴とする請求項１記載のカード用コネクタ装置。
【請求項４】
前記保持手段は、前記ハウジングの側板部に形成された切り溝部と、前記ヘッダー部に設けられ前記切り溝部に係合する突起部を有する保持片とからなることを特徴とする請求項３記載のカード用コネクタ装置。
【発明の詳細な説明】
【０００１】
【発明の属する技術分野】
本発明は、パーソナルコンピュータなどの記憶媒体などに用いられるＰＣカードや、デジタルカメラなどの電子機器の記憶媒体などに用いられる小型メモリーカードに使用される、カード用コネクタ装置の構造に関する。
【０００２】
【従来の技術】
パーソナルコンピュータやデジタルカメラなどの電子機器の増設記録装置としてカード用コネクタ装置が一般的に使用されている。このカード用コネクタ装置の記憶媒体としてはＰＣカードやメモリーカードが広く使用されるようになってきている。
【０００３】
本来は、このＰＣカードやメモリーカードをカード用コネクタ装置に挿着して必要な情報の書き込み、及び読み取りを行うものであるが、近年においては、小型のメモリーカードを単なる記憶媒体として使用するのではなく、Ｉ／Ｏ関連を搭載した機器などとして使用する場合が考えられてきている。
【０００４】
このＩ／Ｏ関連を搭載したメモリーカードは、搭載するＩ／Ｏ部分の大きさによって長さが異なることが想定される。例えば、アンテナ部分を内蔵する通信用のメモリーカードと、指紋判別部を内蔵するメモリーカードとでは長さが異なる。
【０００５】
【発明が解決しようとする課題】
しかしながら、上述した従来のカード用コネクタ装置の構造においては、長さが等しい１種類のカードの挿着しか想定されていない。つまり、カードの収納位置は決まっているため、長さの異なる複数種類のカードが収納される場合、収納状態におけるカードの後端位置（ケースからの突出量）を同じにできず、見た目が悪くなるという問題がある。
【０００６】
したがって、本発明では上述した問題点を解決し、用途に応じて長さの異なる複数種類のカードを挿着した場合においてもカードの後端位置を同じにして収納できるカード用コネクタ装置を提供することを目的とする。
【０００７】
【課題を解決するための手段】
上記課題を解決するために本発明では第１の手段として、カードの収納部を有するハウジングと、このハウジングのカードの挿入方向の排出位置と挿着位置に移動可能に配設され、挿入されるカードの接触端子部に接触する接触片が並設されたヘッダー部と、このヘッダー部をカードの排出位置に付勢する付勢部材とを備え、前記挿着位置は、長さの異なる複数種類のカードが収納部に挿着された時に、それぞれのカードの後端位置が同一となるように前記ハウジング内の複数箇所に設定されると共に、前記ハウジング内には、前記ヘッダー部を前記付勢部材の付勢力に抗して複数の前記挿着位置にそれぞれロックするロック手段と、このロック手段によるロックを解除する解除操作手段とを形成したことを特徴とする。
【０００８】
また、第２の手段として、前記解除操作手段は、前記ハウジングに配設され押圧操作可能な操作部材と、この操作部材を復帰方向へ付勢する復帰ばねと、前記ハウジング又は前記操作部材のうち一方に設けられ、押圧方向に対して傾斜するカム溝と、他方に設けられ、このカム溝に係合するカムピンとを備え、前記ロック手段は、前記操作部材の上面に形成された複数の係止段部と、前記ヘッダー部に設けられて複数の前記係止段部に係合する係止片とからなり、前記操作部材の押圧操作に伴って前記カムピンが前記カム溝の傾斜面を摺動して、前記係止片が前記係止段部から離脱する方向に前記操作部材が移動するようにしたことを特徴とする。
【０００９】
また、第３の手段として、前記排出位置と複数の前記挿着位置との間には、前記カードの長さに対応した使用位置が設定されると共に、前記ハウジング内には、前記ヘッダー部を前記使用位置に保持する保持手段を形成したことを特徴とする。
【００１０】
また、第４の手段として、前記保持手段は、前記ハウジングの側板部に形成された切り溝部と、前記ヘッダー部に設けられ前記切り溝部に係合する突起部を有する保持片とからなることを特徴とする。
【００１１】
【発明の実施の形態】
以下、本発明の実施形態を図１乃至図２０に示す。図１はカード用コネクタ装置の平面図、図２は同じく正面図、図３は同じく縦断面図、図４は拡張部付きカードの平面図、図５は同じく底面図、図６はノーマルサイズのカードの平面図、図７は同じく底面図、図８は拡張部付きカード挿入時のコネクタ装置の平面図、図９は同じく縦断面図、図１０は拡張部付きカードが使用位置に挿着された状態のコネクタ装置の平面図、図１１は同じく縦断面図、図１２は拡張部付きカードが収納位置に挿着された状態の平面図、図１３は同じく縦断面図、図１４は拡張部付きカードが排出位置に排出された状態の平面図、図１５は同じく縦断面図、図１６はノーマルサイズのカードが使用位置に挿着された状態の平面図、図１７は同じく縦断面図、図１８はノーマルサイズのカードが排出位置に排出された状態の平面図、図１９は同じく縦断面図、図２０は拡張部付きカードが使用位置に挿着された時の保持手段を示す平面図である。
【００１２】
図１乃至図３において、ハウジング１は、合成樹脂などの絶縁材で前方及び後方が開口された方形状の箱形に形成されている。このハウジング１の中央には有底状の収納部１ａが設けられ、この収納部１ａの両側に対向した側板部１ｂ、１ｃが形成されている。前記収納部１ａには、後述するヘッダー部４が移動可能に配設されるものとなっている。また、前記ハウジング１には、前記収納部１ａに連続して前面まで延びるカード挿入部１ｄが形成されており、このカード挿入部１ｄと前記収納部１ａとの連結部に段部１ｅが形成されてこの段部１ｅがヘッダー部４の前方への移動を規制するストッパーとなっている。
【００１３】
前記ハウジング１の一方の前記側板部１ｂには、後述する操作部材３及び操作部材３を復帰させる復帰ばね７とが収容される長尺状の凹溝部からなる、操作部材収容部１ｆ及びばね収容部１ｇとが設けられている。また、前記操作部材収容部１ｆの対向する側壁部には、操作部材３の押圧方向に沿って上部側から下部側に傾斜するカム溝１ｈが対向して形成されている。このカム溝１ｈに後述する操作部材３に設けられたカムピン３ａが係合されて操作部材３がこのカム溝１ｈに沿って上下移動可能に配設されるようになっている。
【００１４】
また、前記側板部１ｂの前方側には、一端部がヘッダー部４に係止され、このヘッダー部４をカードの排出位置へ付勢する付勢部材であるコイルばね２の他端部を係止するばね係止部１ｉが設けられている。
【００１５】
ヘッダー部４は、合成樹脂などの絶縁材で前方が開口された方形状に形成されている。このヘッダー部４には、後述するカード８が挿入されるカード収容部４ａが設けられており、このカード収容部４ａの後端側には導電性の金属材からなるコネクタ端子５が複数個並設されている。
【００１６】
複数の前記コネクタ端子５は、平板状の基部と、この基部から互いに対向する方向へ略Ｚ字状に屈曲されて形成された接続片５ａ及び接触片５ｂとから形成されている。前記コネクタ端子５は、一端側に形成された前記接続片５ａが、前記ヘッダー部４の後方の底面部から外方へ突出して配設されており、この接続片５ａにはフィルム状のポリイミド樹脂などからなる可撓性を有するフレキシブル基板１０が接続されている。このフレキシブル基板１０の他端が電子機器などの外部の回路基板上の回路パターンと半田付けされて固着されることで信号の伝送が行われるものとなる。
【００１７】
また、前記コネクタ端子５の基部の他端側に形成された前記接触片５ｂが、前記ヘッダー部４の後端側から前記カード収容部４ａ内に突出して配設されたものとなっている。また、前記接触片５ｂの先端側には、後述するカード８の接触端子部８ａに接続される接点部５ｃが形成されている。
【００１８】
また、前記カード収容部４ａの一側部には、ばね性を有する金属製の板ばねからなる位置決め片６が固着されている。
この位置決め片６には、自由端側に突出部６ａが形成されており、この突出部６ａが前記カード収容部４ａ内に自身のばね性により付勢されたものとなっている。
この突出部６ａが前記カード収容部４ａに挿入される後述するカード８の側面に設けられた位置決め用の凹部８ｃと係合してカード８を前記カード収容部４ａに保持するものとなっている。
【００１９】
前記ヘッダー部４の一側部には、前記ハウジング１の側板部１ｂ側へ突出するアーム部４ｂが形成されている。このアーム部４ｂには、前記ハウジング１のばね係止部１ｈに係止されたコイルばね２の一端側が係止されるばね係止部４ｃが設けられ、前記コイルばね２により前記ヘッダー部４をカードの排出位置に付勢している。また、前記アーム部４ｂには、ばね性を有する金属板を下方へ屈曲することにより形成され、前記側板部１ｂの操作部材収容部１ｆに配設される後述する操作部材３の係止段部３ｃと係合する係止片４ｄが取り付けられている。
【００２０】
操作部材３は、合成樹脂などの絶縁材で長尺状に形成されている。この操作部材３は、前記ハウジング１の側板部１ｂに形成された前記操作部材収容部１ｆに押圧方向すなわちカードの挿入方向に移動可能に配設されている。また、前記操作部材３の両側面部には、前後方向にそれぞれ一対の突出したカムピン３ａが形成されており、このカムピン３ａが、前記側板部１ｂの操作部材収容部１ｆの対向する側壁部に形成された前記カム溝１ｈに係合されるようになっている。
【００２１】
また、前記操作部材収容部１ｆの前方に設けられた前記ばね収容部１ｇには、コイル状の復帰ばね７が配設されており、この復帰ばね７の付勢力により、常時、前記操作部材３が押圧方向とは反対のカードの排出方向に付勢されている。また、前記復帰ばね７の付勢力により、前記操作部材３の両側面部に設けられた前記カムピン３ａが、前記操作部材収容部１ｆの側壁部に形成された前記カム溝１ｈの傾斜面に沿って上方に移動することとなり、前記操作部材３は、前記操作部材収容部１ｆの上方に押し上げられた状態で位置規制されたものとなっている。
【００２２】
また、前記操作部材３の上面には、平面状の平坦部３ｂと、この平坦部３ｂに連続して山形状の凹凸部からなる複数の係止段部３ｃが形成されている。この係止段部３ｃに前記ヘッダー部４のアーム部４ｂに設けられた前記係止片４ｄの先端が、自らのばね性により係合することにより、前記ヘッダー部４の移動を規制するようになっている。前記係止片４ｄが複数の前記係止段部３ｃに複数段にわたって係合することにより、前記ヘッダー部４のカードの挿入位置を複数箇所に設定することが可能となっている。
【００２３】
図４及び図５において、カード８は、内部に集積回路（ＩＣ）が収納されており、記録媒体として広く使用されているものである。
このカード８の一表面には、その一端側に複数の接触端子部８ａが形成されており、この接触端子部８ａが前記ハウジング１の収納部１ａ内に収納された、前記ヘッダー部４のカード収容部４ａに配設された複数の接触片５ｂと接触することにより、外部に接続された電子機器との種々の情報処理が行われるものとなっている。
【００２４】
また、前記カード８の一端部には傾斜面からなる切り欠き部８ｂが形成されており、この切り欠き部８ｂと一定の間隔をおいて前記カード８の一側面部には、位置決め用の凹部８ｃが形成されている。前記カード８を前記ヘッダー部４に挿入する際、この凹部８ｃに、前記位置決め片６の突出部６ａが係合することにより、カード８を前記ヘッダー部４のカード収容部４ａ内に保持するものとなっている。
【００２５】
また、前記カード８の後端側には、外部からの無線信号を受信したり、電子機器内からの無線信号を送信したりすることによりカードを単なる記憶媒体として使用するのではなく、Ｉ／Ｏ関係を搭載した機器などとして使用する場合のアンテナ部８ｄが内蔵されており、このアンテナ部８ｄが形成された分だけノーマルタイプのカードよりも長さ方向に前記アンテナ部８ｄの分だけ長く形成されたものとなっている。
【００２６】
前記カード８においてはアンテナ部８ｄが拡張部分とされ、この拡張部分にはアンテナ以外の機能も搭載可能で、例えば情報のセキュリティーなどの問題で指紋判定部など用途に応じて種々の機能を組み込むことができるものとなっている。この場合、用途に応じて拡張部分の長さが異なる複数種類のカードが存在することになる。
【００２７】
図６、図７はノーマルサイズのカード９を示し、内部に集積回路（ＩＣ）が収納されており、記録媒体として広く使用されているものである。このカード９には前記カード８のような拡張部分がなく、全体の長さが短く（通常サイズ）設定されている。このカード９の一表面にも、複数の接触端子部９ａが形成されており、この接触端子部９ａが前記ハウジング１の収納部１ａ内に収納された、前記ヘッダー部４の複数の接触片５ｂと接触することにより、外部に接続された電子機器との種々の情報処理が行われるものとなっている。また、前記カード９の一端部にも傾斜面からなる切り欠き部９ｂが形成されており、この切り欠き部９ｂと一定の間隔をおいて前記カード９の一側面部にも、位置決め用の凹部９ｃが形成されている。
【００２８】
次に、カード８が前記ハウジング１に挿着される場合の動作について図８乃至図１５を用いて説明する。
前記カード８が挿入されない初期の状態においては、前記ヘッダー部４は前記コイルばね２によりカードの排出方向に付勢されており、カード挿入側の前端部が前記ハウジング１のカード挿入部１ｄと収納部１ａとの連結部に設けられた前記段部１ｅによってカードの排出方向への移動が規制されている。（図１）
【００２９】
この状態から、前記カード８を前記ハウジング１のカード挿入部１ｄの開口側から挿入すると、前記カード８が前記ヘッダー部４のカード収容部４ａに挿入され、前記カード８の一端部の切り欠き部８ｂが前記位置決め片６の突出部６ａと摺接してこの付勢力に抗してカード８は挿入方向へと移動する。そして、前記カード８の接触端子部８ａが前記ヘッダー部４のコネクタ端子５に当接して接触片５ｂと接続される。（図８、図９）
【００３０】
この場合、前記ヘッダー部４は、前記接触片５ｂの接点部５ｃと前記カード８の接触端子部８ａとの接触圧による挿入抵抗により、カード８が完全に前記ヘッダー部４に挿入される前にヘッダー部４がカードの挿入方向へ移動しようとするが、前記ヘッダー部４は前記コイルばね２の付勢力によりカードの挿入方向への移動が規制されていることから、前記カード８は前記ヘッダー部４に完全に挿入されて、前記位置決め用の凹部８ｃが前記位置決め片６の突起部６ａと係合することにより前記接触端子部８ａと前記接触片５ｂの接点部５ｃとが確実に接続されるものとなる。
【００３１】
この状態から、前記カード８を奥方へ挿入すると、前記ヘッダー部４は前記コイルばね２の付勢力に抗して、前記カード８と共に挿入方向へ移動する。この時、前記ヘッダー部４のアーム部４ｂに設けられた前記係止片４ｄの先端が、前記操作部材３の上面の前記平坦部３ｂを摺動して奥方へ移動するものとなる。そして、前記係止片４ｄの先端が、前記平坦部３ｂから、この平坦部３ｂと連続する複数の前記係止段部３ｃに移った段階で自らのばね性により前記係止片４ｄと前記係止段部３ｃの前端とが係合し、前記ヘッダー部４の移動が停止され保持される。（図１０、図１１）
【００３２】
この位置が、前記カード８の第１の挿着位置である使用位置となっており、この使用位置にカード８が挿着されると、カード８の後端側に設けられたアンテナ部８ｄが前記ハウジング１のカード挿入部１ｄから突出した状態となっており、この状態で外部との無線信号の送信、受信が行われるものとなる。
【００３３】
この挿着位置（使用位置）から、更に、前記カード８を奥方に押し込むと、前記係止段部３ｃと係合していた前記係止片４ｄの先端が、前記係止段部３ｃの前端から離脱して係止段部３ｃ上を摺動して更に後端側へと移動するものとなる。そして、前記カード８の後端部が前記ハウジング１のカード挿入部１ｄに収納された時点で、前記係止片４ｄが自らのばね性により前記係止段部３ｃと係合して、前記ヘッダー部４がカード８の第２の挿着位置である収納位置に保持されるものとなる。この収納位置にカード８が挿着されると、カード８の後端側に設けられたアンテナ部８ｄは前記ハウジング１のカード挿入部１ｄ内に収納されるものとなり、不使用時にカード８のアンテナ部８ｄがハウジング１から突出して搬送時や持ち運び時などに邪魔になるのを防止することが可能となっている。（図１２、図１３）
【００３４】
このように、前記ヘッダー部４は、カード８の挿入方向に沿って、前記第１の挿着位置である使用位置と、前記第２の挿着位置である収納位置とにそれぞれ保持されるように形成されている。
【００３５】
次に、前記カード８を前記ハウジング１の挿着位置である使用位置及び収納位置から排出させるには、前記操作部材３の押圧部をカードの挿入方向へ押圧することにより、前記操作部材３は前記復帰ばね７の付勢力に抗して押圧方向へ移動する。この時、前記操作部材３に設けられた前記カムピン３ａが、前記操作部材収容部１ｆの側壁部に設けられた前記カム溝１ｈに沿って上方から下方へと移動することから、前記操作部材３も操作部材収容部１ｆの下方へと移動し、この移動により操作部材３の上面に設けられた前記係合段部３ｃと前記ヘッダー部４のアーム部４ｂに設けられた前記係止片４ｄとの係合が解除されるものとなる。そして、前記ヘッダー部４が前記コイルばね２の付勢力によりカードの排出方向へ移動して、これと共にカード８も排出方向へ移動され排出位置へ排出されるものとなる。（図１４、図１５）
この状態から、カード８を手などで引き抜くことによりハウジング１からカード８を離脱することが可能となっている。
【００３６】
図１６、図１７はノーマルタイプのカード９を使用した時のカード９の挿着状態を示している。この場合、カード９には拡張部分が存在せず、カード９の挿着位置においては、カード９の後端部は前記ハウジング１のカード挿入部１ｄからは突出しておらず、前記カード挿入部１ｄに収納された状態となっている。この状態では、前記ヘッダー部４は、前記アーム部４ｂに設けられた前記係止片４ｄと前記操作部材３の上面に設けられた前記係止段部３ｃとの係合により挿着位置に保持されたものとなっている。この場合には、カード９の挿着位置である使用位置と収納位置が同じ位置となっている。
【００３７】
この場合、前記ハウジング１内には、前記ヘッダー部４を前記コイルばね２の付勢力に抗して複数の前記挿着位置にそれぞれロックするロック手段として、前記ヘッダー部４のアーム部４ｂに設けられた前記係止片４ｄと、この係止片４ｄに係合する前記操作部材３の上面に設けられた複数の山形状の凹凸部からなる前記係止段部３ｃとを形成したことから、前記カード８、及びカード９の長さに対応して前記ハウジング１内の異なる複数箇所に前記挿着位置を設定できるため、長さの異なるそれぞれの前記カード８、及びカード９との後端位置を同じにして前記ハウジング１に収納することができるものとなっている。
また、簡単な構造で前記ヘッダー部４を複数の前記挿着位置にロックすることができると共に、ロックの解除も簡単に行えるものとなっている。
【００３８】
次に、前記カード９を前記ハウジング１の挿着位置から排出させるには、図１８、図１９に示すように、前記操作部材３の先端をカードの挿入方向へ押圧することにより、前記操作部材３は前記復帰ばね２の付勢力に抗して押圧方向へ移動する。この時、前記操作部材３に設けられた前記カムピン３ａが、前記操作部材収容部１ｆの側壁部に設けられた前記カム溝１ｈに沿って上方から下方へと移動することから、前記操作部材３も操作部材収容部１ｆの下方へと移動し、この移動により操作部材３の上面に設けられた前記係止段部３ｃと前記ヘッダー部４のアーム部４ｂに設けられた前記係止片４ｄとの係合が解除されるものとなる。そして、前記ヘッダー部４が前記コイルばね２の付勢力によりカードの排出方向へ移動して、これと共にカード９も排出方向へ移動され排出位置へ排出されるものとなる。
この状態から、カード９を手などで引き抜くことによりハウジング１からカード９を離脱することが可能となっている。
【００３９】
図２０は本発明のカード用コネクタ装置の他の実施例を示している。
この場合、上記実施例と相違している点は、前記ヘッダー部４を挿着位置である使用位置に保持するための保持手段が設けられていることである。尚、図１乃至図１９で説明した同一部品については同一符号を付してその説明を省略する。
【００４０】
図において、前記ハウジング１の他方の前記側板部１ｃには、前記ヘッダー部４を前記カード８の挿着位置に保持させるための切り溝部１ｊが形成されている。この切り溝部１ｊは、前記カード８がハウジング１に挿着される収納位置と、カード８が排出される排出位置との間に設定された使用位置に、前記カード８を保持するために、この使用位置に対応させて形成されている。
【００４１】
また、前記ヘッダー部４の前記位置決め片６の固着位置とは対向する他側部には、ばね性を有する金属製の板ばねなどからなる保持片１１が固着されており、この保持片１１には、前記切り溝部１ｊに係合する突起部１１ａが外方に突出されて形成されている。
【００４２】
図２０は前記カード８が前記ハウジング１のカード挿入部１ｄに挿着されて、前記ヘッダー部４が使用位置に保持された状態を示しており、前記カード８のアンテナ部８ｄが前記ハウジング１のカード挿入部１ｄから突出した状態で無線信号の送信、受信が可能な状態となっている。この時、前記ヘッダー部４は、前記保持片１１の突起部１１ａが前記ハウジング１の切り溝部１ｊに係合した状態となっており、前記カード８を確実に使用位置に保持するものとなっている。
【００４３】
上記実施例の構成によれば、用途に応じて前記カード８の一部を前記ハウジング１のカード挿入部１ｄから突出させることができると共に、簡単な構造で前記カード８を使用位置に保持することができるものとなっている。
【００４４】
尚、上記実施例の構成においては、解除操作手段として、前記操作部材３の押圧方向に沿って上部側から下部側に傾斜する前記カム溝１ｈを前記ハウジングの操作部材収容部１ｆの対向する側壁部に形成し、このカム溝１ｈに沿って上下移動可能に配設される前記カムピン３ａを前記操作部材の両側面部に形成するようにしたが、これとは反対に、前記カム溝１ｈを前記操作部材３の側面部に形成し、前記カムピン３ａを前記操作部材収容部１ｆの側壁部に形成するようにしても良いのはもちろんである。
【００４５】
【発明の効果】
以上説明したように、本発明のカード用コネクタ装置は、カードの収納部を有するハウジングと、このハウジングのカードの挿入方向の排出位置と挿着位置に移動可能に配設され、挿入されるカードの接触端子部に接触する接触片が並設されたヘッダー部と、このヘッダー部をカードの排出位置に付勢する付勢部材とを備え、挿着位置は、カードの長さに対応してハウジング内の複数箇所に設定されると共に、ハウジング内には、ヘッダー部を付勢部材の付勢力に抗して複数の挿着位置にそれぞれロックするロック手段と、このロック手段によるロックを解除する解除操作手段とを形成したことから、カードの長さに対応してハウジング内の複数箇所に挿着位置を設定できるため、長さの異なるそれぞれのカードの後端位置を同じにしてハウジングに収納することが可能となる。
【００４６】
また、解除操作手段は、ハウジングに配設され押圧操作可能な操作部材と、この操作部材を復帰方向へ付勢する復帰ばねと、ハウジング又は操作部材のうち一方に設けられ、押圧方向に対して傾斜するカム溝と、他方に設けられ、このカム溝に係合するカムピンとを備え、ロック手段は、操作部材の上面に形成された複数の係止段部と、ヘッダー部に設けられて複数の係止段部に係合する係止片とからなり、操作部材の押圧操作に伴ってカムピンがカム溝の傾斜面を摺動して、係止片が係止段部から離脱する方向に操作部材が移動するようにしたことから、簡単な構造でヘッダー部を複数の挿着位置にロックすることができると共に、ロックの解除を簡単に行うことができる。
【００４７】
また、排出位置と複数の挿着位置との間には、カードの長さに対応した使用位置が設定されると共に、ハウジング内には、ヘッダー部を使用位置に保持する保持手段を形成したことから、用途に応じてカードの一部をハウジングのカード挿入部から突出させることができると共に、簡単な構造でカードを使用位置に保持することができる。
【００４８】
また、保持手段は、ハウジングの側板部に形成された切り溝部と、ヘッダー部に設けられ切り溝部に係合する突起部を有する保持片とからなることから、簡単な構造でカードを使用位置に、確実に保持することができる。
【図面の簡単な説明】
【図１】本発明の一実施例であるカード用コネクタ装置を示す平面図である。
【図２】本発明の同じくカード用コネクタ装置を示す正面図である。
【図３】本発明の同じくカード用コネクタ装置を示す縦断面図である。
【図４】本発明の拡張部付きカードを示す平面図である。
【図５】本発明の同じく拡張部付きカードを示す底面図である。
【図６】本発明のノーマルサイズのカードを示す平面図である。
【図７】本発明の同じくノーマルサイズのカードを示す底面図である。
【図８】本発明の拡張部付きカード挿入時のコネクタ装置を示す平面図である。
【図９】本発明の同じく拡張部付きカード挿入時のコネクタ装置を示す縦断面図である。
【図１０】本発明の拡張部付きカードが使用位置に挿着された状態のコネクタ装置を示す平面図である。
【図１１】本発明の同じく拡張部付きカードが使用位置に挿着された状態のコネクタ装置を示す縦断面図である。
【図１２】本発明の拡張部付きカードが収納位置に挿着された状態を示す平面図である。
【図１３】本発明の同じく拡張部付きカードが収納位置に挿着された状態を示す縦断面図である。
【図１４】本発明の拡張部付きカードが排出位置に排出された状態を示す平面図である。
【図１５】本発明の同じく拡張部付きカードが排出位置に排出された状態を示す縦断面図である。
【図１６】本発明のノーマルサイズのカードが使用位置に挿着された状態を示す平面図である。
【図１７】本発明の同じくノーマルサイズのカードが使用位置に挿着された状態を示す縦断面図である。
【図１８】本発明のノーマルサイズのカードが排出位置に排出された状態を示す平面図である。
【図１９】本発明の同じくノーマルサイズのカードが排出位置に排出された状態を示す縦断面図である。
【図２０】本発明の他の実施例である拡張部付きカードが使用位置に挿着された時の保持手段を示す平面図である。
【符号の説明】
１  ハウジング
１ａ  収納部
１ｂ，１ｃ  側板部
１ｄ  カード挿入部
１ｅ  段部
１ｆ  操作部材収容部
１ｇ  ばね収容部
１ｈ  カム溝
１ｉ  ばね係止部
１ｊ  切り溝部
２  コイルばね
３  操作部材
３ａ  カムピン
３ｂ  平坦部
３ｃ  係止段部
４  ヘッダー部
４ａ  カード収容部
４ｂ  アーム部
４ｃ  ばね係止部
４ｄ  係止片
５  コネクタ端子
５ａ  接続片
５ｂ  接触片
５ｃ  接点部
６  位置決め片
６ａ  突出部
７  復帰ばね
８，９  カード
８ａ，９ａ  接触端子部
８ｂ，９ｂ  切り欠き部
８ｃ，９ｃ  凹部
８ｄ  アンテナ部
１０  フレキシブル基板
１１  保持片
１１ａ  突起部
【図１】
0003967893.tif 000002
【図２】
0003967893.tif 000003
【図３】
0003967893.tif 000004
【図４】
0003967893.tif 000005
【図５】
0003967893.tif 000006
【図６】
0003967893.tif 000007
【図７】
0003967893.tif 000008
【図８】
0003967893.tif 000009
【図９】
0003967893.tif 000010
【図１０】
0003967893.tif 000011
【図１１】
0003967893.tif 000012
【図１２】
0003967893.tif 000013
【図１３】
0003967893.tif 000014
【図１４】
0003967893.tif 000015
【図１５】
0003967893.tif 000016
【図１６】
0003967893.tif 000017
【図１７】
0003967893.tif 000018
【図１８】
0003967893.tif 000019
【図１９】
0003967893.tif 000020
【図２０】
0003967893.tif 000021